(57)【要約】      （修正有）【課題】オート機能を有するシュレッダで、細断作業開始前に投入口に紙を投入するのみで細断業務が可能な状態である時にはそれを表示し、通常の細断作業時には操作ボタンの誤操作等を排除し、非常時には確実に非常停止又は逆回転という非常制御を行うシュレッダの提供。【解決手段】被細断物を投入する投入口１１１と該被細断物の細断可否状態を表示する表示手段２６１を天面に配置したシュレッダ筐体１１２と、シュレッダ筐体１１２の投入口から投入案内路を介して投入された被細断物を挟持状態で細断する一対のロールカッターと、ロールカッターを回転駆動する内蔵駆動モータと、シュレッダ筐体１１２に駆動モータを駆動制御する制御ユニットと、検知情報を発信するセンサ手段と、シュレッダ筐体１１２の投入案内路に近接配置して駆動モータを非常制御するバースイッチ２４１と、を備えるシュレッダ１００。【選択図】図１
2018008233.tif 000002
【特許請求の範囲】
【請求項１】
被細断物を投入する投入口と該被細断物の細断可否状態を表示する表示手段のみを天面に配置したシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体の天面を除く部位に設けて制御ユニットへ検知情報を発信するセンサ手段と、該シュレッダ筐体の投入案内路に近接配置して駆動モータを非常制御させるバースイッチとを少なくとも備えていることを特徴とするシュレッダ。
【請求項２】
前記バースイッチが、前記シュレッダ筐体の投入口内の天面よりも低い位置に前記投入口の間口幅にわたって操作自在に設けられていることを特徴とする請求項１記載のシュレッダ。
【請求項３】
前記センサ手段が、前記投入案内路の路上に配置されて被細断物の投入を検知する投入センサであることを特徴とする請求項１または請求項２記載のシュレッダ。
【請求項４】
前記制御ユニットが、前記ロールカッターの正回転時に前記バースイッチで駆動モータを介してロールカッターを停止するように制御することを特徴とする請求項１乃至請求項３記載のいずれか一つに記載のシュレッダ。
【請求項５】
前記制御ユニットが、前記ロールカッターの正回転時に前記バースイッチで駆動モータを介してロールカッターを逆回転させるように制御することを特徴とする請求項１乃至請求項３のいずれか一つに記載のシュレッダ。
【請求項６】
前記制御ユニットが、前記ロールカッターの停止時に前記バースイッチの長押し操作で駆動モータを介してロールカッターを逆回転した後、前記バースイッチの長押し操作の解除で駆動モータを介してロールカッターを停止させるように制御することを特徴とする請求項４または請求項５記載のシュレッダ。
【請求項７】
前記制御ユニットが、前記バースイッチの長押し操作で前記ロールカッターを逆回転させるように制御することを特徴とする請求項４乃至請求項６のいずれか一つに記載のシュレッダ。
【請求項８】
前記センサ手段が、前記シュレッダ筐体の前面に設置した人感センサを備え、
前記表示手段が、前記シュレッダ筐体の天面に設置した細断可能表示ランプを備え、
前記制御ユニットが、前記人感センサが人体を感知したときに前記細断可能表示ランプを点灯させるように制御することを特徴とする請求項１乃至請求項７のいずれか一つに記載のシュレッダ。
【請求項９】
前記制御ユニットが、前記人感センサが人体を感知してから人体を感知しなくなった後に経過した時間を計測するタイマーと、該タイマーによる測定時間が所定時間を経過した後に主電源を遮断して前記制御ユニットへの電力供給を止めるように制御する電源制御手段とを備えていることを特徴とする請求項８記載のシュレッダ。
【請求項１０】
前記センサ手段が、前記駆動モータの近傍にモータ負荷センサを備え、
前記制御ユニットが、前記ロールカッターの停止時に人感センサで人体を感知したときに細断可能な最大枚数を表示するように表示手段を制御し、
前記制御ユニットが、前記ロールカッターの正回転時に前記モータ負荷センサからの入力信号に応じた細断負荷をリアルタイムに表示するように表示手段を制御することを特徴とする請求項８または請求項９記載のシュレッダ。
【請求項１１】
前記センサ手段が、前記シュレッダ筐体の前面または側面に配置された音声センサを備え、
前記制御ユニットが、前記ロールカッターの正回転時に前記音声センサからの入力信号と予め前記制御ユニット内のメモリに記録された音声データとを照合し、前記入力信号と音声データとが対応した場合に、前記ロールカッターを一定時間逆回転した後に停止するように前記駆動モータを駆動制御することを特徴とする請求項１乃至請求項１０のいずれか一つに記載のシュレッダ。
【請求項１２】
被細断物の投入口を天面に設けたシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体に設けて制御ユニットへ検知情報を発信するセンサ手段と、該シュレッダ筐体の投入案内路に近接配置して駆動モータを非常制御するバースイッチと、該シュレッダ筐体の表面に設けて被細断物の細断可否状態を表示する表示手段とを少なくとも備え、前記バースイッチが、前記シュレッダ筐体の投入口内の天面よりも低い位置に前記投入口の間口幅にわたって操作自在に設けられているシュレッダの制御方法であって、
前記ロールカッターの正回転時に前記バースイッチで駆動モータを介してロールカッターを停止させるように制御する正回転時停止ステップと、
前記ロールカッターの停止時に前記バースイッチで駆動モータを介してロールカッターを逆回転させるように制御する停止時逆回転ステップと、
前記ロールカッターの正回転時に前記バースイッチで駆動モータを介してロールカッターを逆回転させるように制御する正回転時逆回転ステップとで構成されていることを特徴とするシュレッダの制御方法。
【発明の詳細な説明】
【技術分野】
【０００１】
本発明は、紙等のシート状の被細断物を細断するシュレッダ及びその制御方法に関するものであって、特に、細断開始及び細断終了後停止が自動的に制御されるシュレッダにおいて、投入口に紙を投入するのみで通常の細断業務が可能であるとともに、非常時には確実に非常制御するシュレッダ及びその制御方法に関するものである。
【背景技術】
【０００２】
従来、紙等のシート状の被細断物を細断するシュレッダまたはその制御方法として、オートスタート・オートストップ機構を有するもの（特許文献１参照）、細断機構の負荷及び動作方向を表示するもの（特許文献２参照）、待機消費電力の節電を積極的に行うもの（特許文献３参照）が知られている。
【先行技術文献】
【特許文献】
【０００３】
【特許文献１】特許第３０７８４８７号公報
【特許文献２】特開２０１５―１３４３３０号公報
【特許文献３】特開２００８―５５２５４号公報
【発明の概要】
【発明が解決しようとする課題】
【０００４】
しかしながら、上述したような従来のシュレッダのうち、オートスタート・オートストップ機構を有するものの場合には、細断のスタート及びストップの制御が自動処理されるものの、細断終了直後の駆動モータが正回転している時に細断作業者が停止ボタンを押した場合には、非常停止の処理として主電源がシャットダウンされ、次の細断作業者が細断作業を始める際にオートスタートが実現しないために細断作業ができず、あるいは細断開始のためにオートスタートモードへの復帰操作が新たに必要となり、このような事態が常態化することにより、細断作業開始時に常に復帰操作をするなどの誤った操作方法が定着する問題があった。
また、細断機構の負荷及び動作方向を表示するものの場合には、それらの表示はあくまで細断作業中の内部状態を表示するものであり、細断作業を開始しようとする作業者にタイムリーに細断の可否や投入量の適／不適を示すことにより、スムーズな細断作業を補助するものではなかった。
さらに、待機消費電力の節電を積極的に行うものの場合には、被細断物の投入の有無を検知することにより節電を行うものであり、細断作業者がシュレッダに近づいても、実際に紙を投入するまでは節電モードが解除されず、節電モードから細断が可能な状態に移行する時間だけ、細断作業の開始タイミングが遅れる問題があった。
さらにまた、これら従来のシュレッダに共通する問題として、一般に操作ボタンがシュレッダ筐体の天面に配置されているため、細断作業者が天面を被細断物の仮置き場として乱暴に使用した場合には、被細断物の束の形状や重量によっては操作ボタンが押圧されて意図しないボタン操作が発生するおそれや、作業者が天面に手や肘をつくなど体重をかけることにより意図しないボタン操作が発生するおそれがあった。
【０００５】
そこで、本発明は、前述したような従来技術の問題を解決するものであって、すなわち、本発明の目的は、オートスタート・オートストップ機能を有するシュレッダにおいて、細断作業開始前に投入口に紙を投入するのみで細断業務が可能な状態であるときにはそれを明確に表示し、通常の細断作業時には操作ボタンの誤操作や不適切な操作を排除するとともに、非常時には確実に非常停止または逆回転という非常制御を可能とするシュレッダおよびその制御方法を提供するものである。
【課題を解決するための手段】
【０００６】
本請求項１に係る発明は、被細断物を投入する投入口と該被細断物の細断可否状態を表示する表示手段のみを天面に配置したシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体の天面を除く部位に設けて制御ユニットへ検知情報を発信するセンサ手段と、該シュレッダ筐体の投入案内路に近接配置して駆動モータを非常制御させるバースイッチとを少なくとも備えていることにより、前述した課題を解決するものである。
【０００７】
本請求項２に係る発明は、請求項１に記載されたシュレッダの構成に加えて、前記バースイッチが、前記シュレッダ筐体の投入口内の天面よりも低い位置に前記投入口の間口幅にわたって操作自在に設けられていることにより、前述した課題をさらに解決するものである。
【０００８】
本請求項３に係る発明は、請求項１または請求項２に記載されたシュレッダの構成に加えて、前記センサ手段が、前記投入案内路の路上に配置されて被細断物の投入を検知する投入センサであることにより、前述した課題をさらに解決するものである。
【０００９】
本請求項４に係る発明は、請求項１乃至請求項３に記載されたシュレッダの構成に加えて、前記制御ユニットが、前記ロールカッターの正回転時に前記バースイッチで駆動モータを介してロールカッターを停止するように制御することにより、前述した課題をさらに解決するものである。
【００１０】
本請求項５に係る発明は、請求項１乃至請求項３に記載されたシュレッダの構成に加えて、前記制御ユニットが、前記ロールカッターの正回転時に前記バースイッチで駆動モータを介してロールカッターを逆回転させるように制御することにより、前述した課題をさらに解決するものである。
【００１１】
本請求項６に係る発明は、請求項４または請求項５に記載されたシュレッダの構成に加えて、前記制御ユニットが、前記ロールカッターの停止時に前記バースイッチの長押し操作で駆動モータを介してロールカッターを逆回転した後、前記バースイッチの長押し操作の解除で駆動モータを介してロールカッターを停止させるように制御することにより、前述した課題をさらに解決するものである。
【００１２】
本請求項７に係る発明は、請求項４乃至請求項６に記載されたシュレッダの構成に加えて、前記制御ユニットが、前記バースイッチの長押し操作で前記ロールカッターを逆回転させるように制御することにより、前述した課題をさらに解決するものである。
【００１３】
本請求項８に係る発明は、請求項１乃至請求項７に記載されたシュレッダの構成に加えて、前記センサ手段が、前記シュレッダ筐体の前面に設置した人感センサを備え、前記表示手段が、前記シュレッダ筐体の天面に設置した細断可能表示ランプを備え、前記制御ユニットが、前記人感センサが人体を感知したときに前記細断可能表示ランプを点灯させるように制御することにより、前述した課題をさらに解決するものである。
【００１４】
本請求項９に係る発明は、請求項８に記載されたシュレッダの構成に加えて、前記制御ユニットが、前記人感センサが人体を感知してから人体を感知しなくなった後に経過した時間を計測するタイマーと、該タイマーによる測定時間が所定時間を経過した後に主電源を遮断して前記制御ユニットへの電力供給を止めるように制御する電源制御手段とを備えていることにより、前述した課題をさらに解決するものである。
【００１５】
本請求項１０に係る発明は、請求項８または請求項９に記載されたシュレッダの構成に加えて、前記センサ手段が、前記駆動モータの近傍にモータ負荷センサを備え、前記制御ユニットが、前記ロールカッターの停止時に人感センサで人体を感知したときに細断可能な最大枚数を表示するように表示手段を制御し、前記制御ユニットが、前記ロールカッターの正回転時に前記モータ負荷センサからの入力信号に応じた細断負荷をリアルタイムに表示するように表示手段を制御することにより、前述した課題をさらに解決するものである。
【００１６】
本請求項１１に係る発明は、請求項１乃至請求項１０に記載されたシュレッダの構成に加えて、前記センサ手段が、前記シュレッダ筐体の前面または側面に配置された音声センサを備え、前記制御ユニットが、前記ロールカッターの正回転時に前記音声センサからの入力信号と予め前記制御ユニット内のメモリに記録された音声データとを照合し、前記入力信号と音声データとが対応した場合に、前記ロールカッターを一定時間逆回転した後に停止するように前記駆動モータを駆動制御することにより、前述した課題をさらに解決するものである。
【００１７】
本請求項１２に係る発明は、被細断物の投入口を天面に設けたシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体に設けて制御ユニットへ検知情報を発信するセンサ手段と、該シュレッダ筐体の投入案内路に近接配置して駆動モータを非常制御するバースイッチと、該シュレッダ筐体の表面に設けて被細断物の細断可否状態を表示する表示手段とを少なくとも備え、前記バースイッチが、前記シュレッダ筐体の投入口内の天面よりも低い位置に前記投入口の間口幅にわたって操作自在に設けられているシュレッダの制御方法であって、前記ロールカッターの正回転時に前記バースイッチで駆動モータを介してロールカッターを停止させるように制御する正回転時停止ステップと、前記ロールカッターの停止時に前記バースイッチで駆動モータを介してロールカッターを逆回転させるように制御する停止時逆回転ステップと、前記ロールカッターの正回転時に前記バースイッチで駆動モータを介してロールカッターを逆回転させるように制御する正回転時逆回転ステップとで構成されていることにより、前述した課題を解決するものである。
【発明の効果】
【００１８】
本発明の請求項１に係る発明のシュレッダによれば、被細断物を投入する投入口と該被細断物の細断可否状態を表示する表示手段のみを天面に配置したシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体の天面を除く部位に設けて制御ユニットへ検知情報を発信するセンサ手段と、該シュレッダ筐体の投入案内路に近接配置して駆動モータを非常制御させるバースイッチとを少なくとも備えていることにより、作業者の指などが引き込まれた場合にはバースイッチを操作できるので、非常時においても確実に非常停止／逆回転の非常制御をすることができる。また、天面には操作ボタン等の操作手段が一切配置されていないことにより、被細断物等の重量による意図しないボタン操作、あるいは操作法を熟知していない作業者による不必要なボタン操作が発生せず、特別な復帰操作が必要となるボタン操作を排除することができる。
【００１９】
本発明の請求項２に係る発明のシュレッダによれば、前記バースイッチが、前記シュレッダ筐体の投入口内の天面よりも低い位置に前記投入口の間口幅にわたって操作自在に設けられていることにより、作業者の指などがどのような態様で引き込まれてもバースイッチにぶつかるため、非常時においても確実に非常停止／逆回転の非常制御をすることができる。
【００２０】
本発明の請求項３に係る発明のシュレッダによれば、前記センサ手段が、前記投入案内路の路上に配置されて被細断物の投入を検知する投入センサであることにより、紙等の被細断物が投入されることにより細断を開始し、被細断物の投入が終了すれば細断を停止する、いわゆるオートスタート・オートストップ制御が可能となるため、一切のボタン操作を伴わずに細断作業を行うことができる。
【００２１】
本発明の請求項４に係る発明のシュレッダによれば、前記制御ユニットが、前記ロールカッターの正回転時に前記バースイッチで駆動モータを介してロールカッターを停止するように制御することにより、細断中にバースイッチをクリック操作するとロールカッターが非常停止するため、安全に細断作業を行うことができる。
【００２２】
本発明の請求項５に係る発明のシュレッダによれば、前記制御ユニットが、前記ロールカッターの正回転時に前記バースイッチで駆動モータを介してロールカッターを逆回転させるように制御することにより、細断中にバースイッチをクリック操作するとロールカッターが直ちに逆回転するため、一層安全に細断作業を行うことができる。
【００２３】
本発明の請求項６に係る発明のシュレッダによれば、前記制御ユニットが、前記ロールカッターの停止時に前記バースイッチの長押し操作で駆動モータを介してロールカッターを逆回転した後、前記バースイッチの長押し操作の解除で駆動モータを介してロールカッターを停止させるように制御することにより、停止中にバースイッチを長押し操作するとロールカッターが逆回転するため、被細断物を容易に引き戻すことが可能となり、紙詰まりを解消できる。
【００２４】
本発明の請求項７に係る発明のシュレッダによれば、前記制御ユニットが、前記バースイッチの長押し操作で前記ロールカッターを逆回転させるように制御することにより、細断中にバースイッチを長押し操作するとロールカッターが停止状態を経ずに直ちに逆回転するため、被細断物を容易かつ迅速に引き戻すことが可能となり、紙詰まりを容易かつ迅速に解消できる。
【００２５】
本発明の請求項８に係るシュレッダによれば、前記センサ手段が、前記シュレッダ筐体の前面に設置した人感センサを備え、前記表示手段が、前記シュレッダ筐体の天面に設置した細断可能表示ランプを備え、前記制御ユニットが、前記人感センサが人体を感知したときに前記細断可能表示ランプを点灯させるように制御することにより、人体の感知により細断可能表示ランプを点灯させるため、作業者が投入するのみで細断可能であることを容易に認識でき、スムーズに細断を開始することができる。
【００２６】
本発明の請求項９に係る発明のシュレッダによれば、前記制御ユニットが、前記人感センサが人体を感知してから人体を感知しなくなった後に経過した時間を計測するタイマーと、該タイマーによる計測時間が所定時間を経過した後に主電源を遮断して前記制御ユニットへの電力供給を止めるように制御する電源制御手段とを備えていることにより、細断作業者がいない待機時には細断可能表示ランプが消灯するため、消費電力を抑制できる。
【００２７】
本発明の請求項１０に係る発明のシュレッダによれば、前記センサ手段が、前記駆動モータの近傍にモータ負荷センサを備え、前記制御ユニットが、前記ロールカッターの停止時に人感センサで人体を感知したときに細断可能な最大枚数を表示するように表示手段を制御し、前記制御ユニットが、前記ロールカッターの正回転時に前記モータ負荷センサからの入力信号に応じた細断負荷をリアルタイムに表示するように表示手段を制御することにより、人体の感知により細断可能な最大枚数を表示するため、作業者が細断可能となったことを容易に認識し、ボタン操作なく紙を投入し、細断を開始するよう誘導でき、さらに、最大細断可能枚数に対する負荷をリアルタイムで表示するため、過投入による紙詰まりを予防することができる。
【００２８】
本発明の請求項１１に係る発明のシュレッダによれば、前記センサ手段が、前記シュレッダ筐体の前面または側面に配置された音声センサを備え、前記制御ユニットが、前記ロールカッターの正回転時に前記音声センサからの入力信号と予め前記制御ユニット内のメモリに記録された音声データとを照合し、前記入力信号と音声データとが対応した場合に、前記ロールカッターを一定時間逆回転した後に停止するように前記駆動モータを駆動制御することにより、緊急に停止したいときに、バースイッチを押さなくとも、あらかじめ登録している音声を発することで非常停止が可能となるため、本能に基づく反射的な行動により、危険や誤った細断を回避することができる。
【００２９】
本発明の請求項１２に係る発明のシュレッダの制御方法によれば、  被細断物の投入口を天面に設けたシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体に設けて制御ユニットへ検知情報を発信するセンサ手段と、該シュレッダ筐体の投入案内路に近接配置して駆動モータを非常制御するバースイッチと、該シュレッダ筐体の表面に設けて被細断物の細断可否状態を表示する表示手段とを少なくとも備え、前記バースイッチが、前記シュレッダ筐体の投入口内の天面よりも低い位置に前記投入口の間口幅にわたって操作自在に設けられているシュレッダの制御方法であって、前記ロールカッターの正回転時に前記バースイッチで駆動モータを介してロールカッターを停止させるように制御する正回転時停止ステップと、前記ロールカッターの停止時に前記バースイッチで駆動モータを介してロールカッターを逆回転させるように制御する停止時逆回転ステップと、前記ロールカッターの正回転時に前記バースイッチで駆動モータを介してロールカッターを逆回転させるように制御する正回転時逆回転ステップとで構成されていることにより、バースイッチが投入口の横幅にわたって延在するため、作業者の指などがどのような態様で引き込まれてもバースイッチにぶつかるため、非常時においても確実に停止／逆回転操作をすることができる。また、天面に操作ボタンが露出していないことにより、被細断物等の重量による意図しないボタン操作、あるいは操作法を熟知していない作業者による不必要なボタン操作が発生せず、特別な復帰操作が必要となるボタン操作を排除することができる。また、細断中にバースイッチをクリック操作するとロールカッターが非常停止し、または直ちに逆回転するため、安全に作業できる。さらに、細断中にバースイッチを長押し操作するとロールカッターが逆回転するため、紙詰まりを容易かつ迅速に解消できる。
【図面の簡単な説明】
【００３０】
【図１】本発明の第一及び第二実施例におけるシュレッダの外観を示す図。
【図２】本発明に係るシュレッダの主要な機構を示す機構図。
【図３】本発明に係るシュレッダの制御関係を示すブロック図。
【図４】本発明の第一実施例に係る駆動モータの制御処理の流れを示すフロー図。
【図５】本発明に係る細断可能表示ランプの制御処理の流れを示すフロー図。
【図６】本発明の第二実施例に係る駆動モータの制御処理の流れを示すフロー図。
【図７】本発明第三及び第四実施例におけるシュレッダの外観を示す図。
【図８】本発明の第三実施例に係る駆動モータの制御処理の流れを示すフロー図。
【図９】本発明の第三実施例に係る細断可能表示ランプの制御処理の流れを示すフロー図。
【図１０】本発明の第四実施例に係る駆動モータの制御処理の流れを示すフロー図。
【発明を実施するための形態】
【００３１】
本発明のシュレッダは、被細断物を投入する投入口と該被細断物の細断可否状態を表示する表示手段のみを天面に配置したシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体の天面を除く部位に設けて制御ユニットへ検知情報を発信するセンサ手段と、該シュレッダ筐体の投入案内路に近接配置して駆動モータを非常制御させるバースイッチとを少なくとも備えていることにより、作業者の指などがどのような態様で引き込まれてもバースイッチにぶつかるため、非常時においても確実に駆動モータの非常停止または逆回転という非常制御をすることができ、被細断物等の重量による意図しないボタン操作、あるいは操作法を熟知していない作業者による不必要なボタン操作が発生せず、特別な復帰操作が必要となるボタン操作を排除することができるものであれば、その具体的な実施態様は、如何なるものであっても構わない。
【００３２】
すなわち、シュレッダ筐体の天面には、被細断物を投入する投入口と該被細断物の細断可否状態を表示する表示手段のみを配置しているとは、換言すれば、シュレッダ筐体の天面には操作ボタン等の操作手段が一切配置されていないことを意味し、被細断物等の重量による意図しないボタン操作、あるいは操作法を熟知していない作業者による不必要なボタン操作が発生せず、特別な復帰操作が必要となるボタン操作を排除することができる。
【００３３】
本発明で採用するバースイッチは、シュレッダ筐体の投入口内の天面よりも低い位置に前記投入口の間口幅にわたって操作自在に設けられているものであればどのようなものであってもよく、例えば機械式のプッシュ型スイッチの他に、静電式のタッチセンサスイッチ、感圧型のタッチセンサスイッチなどであってもよい。ただし、非常制御のために設置するものであるから、応答速度の速いものが好ましい。
また、後述の表示素子の前面にタッチセンサを配置したような表示素子と一体型のスイッチであってもよく、その場合には非常制御用のバースイッチとしての機能に加え、各種メッセージやシュレッダの内部状態等を表示する表示手段としての機能を持たせることができる。
【００３４】
いかなるバースイッチであれ、本発明のシュレッダは唯一の操作手段としてバースイッチを備えることにより、天面上に操作ボタン類を一切配置しないため、通常の細断作業時には操作ボタンの誤操作や不適切な操作を排除することができるとともに、非常時には確実に非常停止または逆回転という非常制御が可能となる。
【００３５】
本発明で採用するロールカッターは、刃付回転ドラム状のものが一般的であるが、その他の細断形式であってもよく、回転ドラムである場合にはメッシュ状の刃を有するものであっても、縦細断と横細断とを異なるカッターで行う形式であっても構わない。
【００３６】
本発明で採用する細断可能表示ランプとしては、ＬＥＤ、電球その他の発光素子を用いることができる。さらに、単なる表示ランプではなく、各種メッセージを表示できる液晶表示素子、ＬＥＤ発光表示素子、発光プレート等の表示素子を配置してもよい。表示素子を配する場合には、細断の可否、細断可能枚数、メンテナンスの必要性等を文章により表示することができ、好ましい。
【００３７】
このような表示手段を備えることにより、投入口に紙を投入するのみで細断業務が可能であることを明確に表示し、通常の細断作業時には操作ボタンの誤操作や不適切な操作を排除することができる。
【００３８】
本発明で採用する人感センサとしては、赤外線センサに限られず、他の方式のセンサを用いることができる。また、非常制御のために採用するセンサとしては、音声センサに限られず、振動センサ等他の方式のセンサを用いることができる。
【００３９】
このような人感センサを備えることにより、細断作業者が近づいたときに、投入口に紙を投入するのみで細断業務が可能であることを明確に表示し、通常の細断作業時には操作ボタンの誤操作や不適切な操作を排除することができる。
また、非常制御のための音声センサ、振動センサ等を備えることにより、非常時には確実に非常停止または逆回転という非常制御が可能となる。
【００４０】
また、本発明に係るシュレッダの制御方法は、被細断物の投入口を天面に設けたシュレッダ筐体と、該シュレッダ筐体の投入口から投入案内路を介して投入された被細断物を挟持状態で細断する一対のロールカッターと、該シュレッダ筐体に内蔵されてロールカッターを回転駆動する駆動モータと、該シュレッダ筐体に内蔵されて駆動モータを駆動制御する制御ユニットと、該シュレッダ筐体に設けて制御ユニットへ検知情報を発信するセンサ手段と、該シュレッダ筐体の投入案内路に近接配置して駆動モータを非常制御するバースイッチと、該シュレッダ筐体の表面に設けて被細断物の細断可否状態を表示する表示手段とを少なくとも備え、前記バースイッチが、前記シュレッダ筐体の投入口内の天面よりも低い位置に前記投入口の間口幅にわたって操作自在に設けられているシュレッダの制御方法であって、前記ロールカッターの正回転時に前記バースイッチで駆動モータを介してロールカッターを停止させるように制御する正回転時停止ステップと、前記ロールカッターの停止時に前記バースイッチで駆動モータを介してロールカッターを逆回転させるように制御する停止時逆回転ステップと、前記ロールカッターの正回転時に前記バースイッチで駆動モータを介してロールカッターを逆回転させるように制御する正回転時逆回転ステップとで構成されていることにより、バースイッチが、前記シュレッダ筐体の投入口内の天面よりも低い位置に前記投入口の間口幅にわたって操作自在に設けられていることにより、作業者の指などがどのような態様で引き込まれてもバースイッチにぶつかるため、非常時においても確実に停止／逆回転操作をすることができ、また、天面に操作ボタンが露出していないことにより、被細断物等の重量による意図しないボタン操作、あるいは操作法を熟知していない作業者による不必要なボタン操作が発生せず、特別な復帰操作が必要となるボタン操作を排除することができ、細断の開始時および終了時のボタン操作が不要となり、また、細断中にバースイッチをクリック操作するとロールカッターが非常停止し、または直ちに逆回転するため、安全に作業でき、さらに、細断中にバースイッチを長押し操作するとロールカッターが逆回転するため、紙詰まりを容易かつ迅速に解消できるものであれば、どのような制御方法であってもかまわない。
たとえば、ロールカッターの回転状態とバースイッチの操作内容との組み合わせに対し、非常制御の内容として駆動モータの正回転、非常停止または逆回転の各制御を任意に割り充てることができる。
【実施例１】
【００４１】
以下に、本発明の一実施例であるシュレッダ１００の構成及びその制御について、図１乃至図５に基づいて説明する。
ここで、図１は本発明の第一実施例におけるシュレッダの外観を示す図、図２は本発明に係るシュレッダの主要な機構を示す機構図、図３は本発明に係るシュレッダの制御関係を示すブロック図、図４は本発明の第一実施例に係る駆動モータの制御処理の流れを示すフロー図、図５は本発明に係る細断可能表示ランプの制御処理の流れを示すフロー図である。
【００４２】
本実施例であるシュレッダ１００の外観は、図１に示すように、シュレッダ筐体１１２の天面１１０に投入口１１１を有している。そして非常制御用のバースイッチ２４０が投入案内路１１３に近接する位置に配置されている。より詳細には、バースイッチ２４０は、投入口１１１内の天面１１０よりも低い位置に、投入口１１１の間口幅にわたって操作自在に設けられている。
【００４３】
シュレッダ１００は、図２に示すように、被細断物Ｓの細断可否状態を表示する表示手段２６０としての細断可能表示ランプ２６１を天面１１０に配置したシュレッダ筐体１１２と、シュレッダ筐体１１２の投入口から投入案内路１１３を介して投入された被細断物Ｓを挟持状態で細断する一対のロールカッター２３０と、シュレッダ筐体１１２に内蔵されてロールカッター２３０を回転駆動する駆動モータ２２０と、シュレッダ筐体１１２に内蔵されて駆動モータ２２０を駆動制御する制御ユニット２１０とを備え、さらにシュレッダ筐体１１２の天面１１０を除く部位に設けて制御ユニットへ検知情報を発信するセンサ手段２５０としての投入センサ２５２が、投入案内路１１３の途中の路上に配置されて被細断物Ｓの投入を検知するとともに、バースイッチ２４０がシュレッダ筐体１１２の投入案内路１１３に近接配置されて駆動モータ２２０を非常制御するように構成されている。
なお、ロールカッター２３０の回転方向は、図中の記号Ａで示すように細断する方向の回転が正回転、記号Ｂで示す方向の回転が逆回転である。
【００４４】
また、シュレッダ１００は、図３に示すように、制御ユニット２１０、駆動モータ２２０、ロールカッター２３０、バースイッチ２４０、センサ手段２５０、表示手段２６０、駆動モータ近傍に配置されたモータ負荷センサ２５１、主電源２７０を備えており、このうち制御ユニット２１０は電源制御手段２１１とタイマー２１２とメモリ２１３とを備え、センサ手段２５０は人感センサ２５４と投入センサ２５２とモータ温度センサ２５３とを備え、表示手段２６０は細断可能表示ランプ２６１と主電源ランプ２６２を備えている。なお、本実施例においては、シュレッダ１００はメモリ２１３、人感センサ２５４及び主電源ランプ２６２を必ずしも備えている必要はない。
【００４５】
以下、本実施例のシュレッダ１００における細断の制御処理の流れを説明する。
【００４６】
本実施例のシュレッダ１００は、図４に示すように、主電源２７０が投入された後、まずＳＴ４０１（ステップ４０１を意味する。各図及び以下の説明において同じ。）において、投入センサ２５２により被細断物Ｓの投入案内路１１３内への投入の有無が検知される。被細断物Ｓを検知した場合にはＳＴ４０２において制御ユニット２１０が駆動モータ２２０を駆動させロールカッター２３０を正回転させる。被細断物Ｓを検知しない場合は元に戻る。
【００４７】
ＳＴ４０３において、モータ負荷センサ２５１が駆動モータ２２０の負荷を検知することにより投入枚数を検知し、ＳＴ４０４において、細断可能な最大枚数を超えている場合にはＳＴ４０８に移行する。ＳＴ４０８は正回転時停止ステップであり、すなわち正回転しているロールカッター２３０がただちに停止するよう駆動モータ２２０を制御する。細断可能な最大枚数を超えていない場合にはＳＴ４０５に移行する。
【００４８】
ＳＴ４０５において、バースイッチ２４１にクリック操作等の何らかの操作がなされているか否かを検知する。何らかの操作がなされた場合には正回転時停止ステップであるＳＴ４０８に移行してロールカッター２３０が停止するよう駆動モータ２２０を制御する。何らかの操作がなされていない場合にはＳＴ４０６に移行する。
【００４９】
ＳＴ４０６において、モータ負荷センサ２５１がモータ２２１の負荷を検知し、さらに投入センサ２５２が被細断物Ｓの投入案内路１１３内への投入の有無を検知する。検知負荷の値が最小であり、かつ、投入センサ２５２が被細断物Ｓを検知しない場合にはＳＴ４１１に移行し、一定時間（例えば５秒）後にロールカッター２３０が停止するよう駆動モータ２２０を制御する。検知負荷の値が最小でないか、または、投入センサ２５２が被細断物Ｓを検知している場合にはＳＴ４０７に移行する。
【００５０】
ＳＴ４０７において、モータ温度センサ２５３がモータ２２１の温度を検知し、あらかじめ設定している温度を超えている場合にはＳＴ４１２に移行し、ロールカッター２３０が停止するよう駆動モータ２２０を制御する。あらかじめ設定している温度を超えていない場合にはＳＴ４０２に戻る。
【００５１】
また、ＳＴ４０８においてロールカッター２３０が停止するよう駆動モータ２２０を制御したのち、ＳＴ４０９においてバースイッチ２４１が長押し操作されているか否かを検知し、長押し操作されている場合にはＳＴ４１０に移行する。長押し操作がされていない場合には元に戻る。ＳＴ４１０は停止時逆回転ステップであり、すなわちバースイッチ２４１が長押し操作されている間は逆回転を維持し、長押し操作が解除されたら停止するよう駆動モータ２２０を制御する。
【００５２】
以上のようにロールカッター２３０が正回転、非常停止または逆回転するように駆動モータ２２０を制御する内容は、表１および表２のようにまとめることができる。
【００５３】
【表１】
2018008233.tif 000003
【００５４】
【表２】
2018008233.tif 000004
【００５５】
次に、本実施例のシュレッダ１００における細断可能表示ランプ２６１の制御の流れを説明する。
【００５６】
本実施例のシュレッダ１００は、図５に示すように、細断可能表示ランプ２６１により細断作業者に対しリアルタイムに細断枚数を表示する。
主電源２７０が投入されたら細断可能表示ランプ２６１が表示状態となり、まず、ＳＴ５０１において、モータ負荷センサ２５１の検出量が予め定められた第一段階（０枚以上７枚以下）の範囲内である場合にＳＴ５０５に移行して細断可能表示ランプ２６１が黄緑色表示を行うよう制御する。第一段階の範囲外である場合はＳＴ５０２に移行する。
以下同様に、ＳＴ５０２において第二段階（８枚以上１４枚以下）の範囲内ならＳＴ５０６において緑色表示を、ＳＴ５０３において第三段階（１５枚以上２０枚以下）の範囲内ならＳＴ５０７において黄色表示を、ＳＴ５０４において第四段階（２１枚以上２５枚以下）の範囲内ならＳＴ５０８において赤色表示をするようにそれぞれ制御し、モータ負荷センサ２５１の検出量が第五段階（２６枚以上）である場合にはＳＴ５０９において赤色の点滅表示を行うように制御する。
なお、以上の各段階と表示色／表示パターンの設定は一例であり、シュレッダ１００の細断能力その他の条件に応じて各段階を適宜設定するとともに、表示色／表示パターンを設定することができる。
【００５７】
また、投入口１１１付近に安全注意銘板を配置して、例えば「２５枚（厚さ約２．０ｍｍ以下）まで切れます／２６枚以上は紙詰まりの原因となります」などのように、細断可能な最大枚数を表示してもよい。
【実施例２】
【００５８】
次に、本発明の第二実施例であるシュレッダ１００の構成及びその制御について、図１乃至図３、図５及び図６に基づいて説明する。図６は、本発明の第二実施例に係る駆動モータの制御処理の流れを示すフロー図である。
本実施例においては、図１乃至図３および図５に示した外観、主要な機構、制御関係および細断可能表示ランプの制御処理は実施例１と同様である。
以下、本実施例のシュレッダ１００による細断の制御処理の流れを説明する。
【００５９】
本実施例のシュレッダ１００は、図６に示すように、主電源２７０が投入された後、まずＳＴ６０１において、投入センサ２５２により被細断物Ｓの投入案内路１１３内への投入の有無が検知される。被細断物Ｓを検知した場合にはＳＴ６０２において制御ユニット２１０が駆動モータ２２０を駆動させロールカッター２３０を正回転させる。被細断物Ｓを検知しない場合は元に戻る。
【００６０】
ＳＴ６０３において、モータ負荷センサ２５１が駆動モータ２２０の負荷を検知することにより投入枚数を検知し、ＳＴ６０４において、細断可能な最大枚数を超えている場合にはＳＴ６０８に移行してロールカッター２３０が一定時間（例えば１秒間）逆回転した後に停止するよう駆動モータ２２０を制御する。細断可能な最大枚数を超えていない場合にはＳＴ６０５に移行する。
【００６１】
ＳＴ６０５において、バースイッチ２４１に何らかの操作がなされているか否かを検知する。何らかの操作がなされている場合にはＳＴ６０８に移行する。ＳＴ６０８は正回転時逆回転ステップであり、すなわち正回転しているロールカッター２３０が直ちに逆回転し、一定時間（例えば１秒間）逆回転した後に停止するよう駆動モータ２２０を制御する。何らかの操作がなされていない場合にはＳＴ６０６に移行する。
【００６２】
ＳＴ６０６において、モータ負荷センサ２５１がモータ２２１の負荷を検知し、さらに投入センサ２５２が被細断物Ｓの投入案内路１１３内への投入の有無を検知する。検知負荷の値が最小であり、かつ、投入センサ２５２が被細断物Ｓを検知しない場合にはＳＴ６０９に移行し、一定時間（例えば５秒）後にロールカッター２３０が停止するよう駆動モータ２２０を制御する。検知負荷の値が最小でないか、または、投入センサ２５２が被細断物Ｓを検知している場合にはＳＴ６０７に移行する。
【００６３】
ＳＴ６０７において、モータ温度センサ２５３がモータ２２１の温度を検知し、あらかじめ設定している温度を超えている場合にはＳＴ６１０に移行し、ロールカッター２３０が停止するよう駆動モータ２２０を制御する。あらかじめ設定している温度を超えていない場合にはＳＴ６０２に戻る。
【００６４】
以上のようにロールカッター２３０が正回転、非常停止または逆回転するように駆動モータ２２０を制御する内容は、実施例１と同様に表１および表２のようにまとめることができる。ただし、本実施例の場合は、表２において「非常停止（＊）」となっている欄の内容が、「１秒間逆回転後停止」となる。
【実施例３】
【００６５】
以下に、本発明の第三実施例であるシュレッダ１００’の構成及びその制御について、図２、図３、図７乃至図９に基づいて説明する。
ここで、図７は本発明の第三実施例におけるシュレッダの外観を示す図、図８は本発明の第三実施例に係る駆動モータの制御処理の流れを示すフロー図、図９は本発明の第三実施例に係る細断可能表示ランプの制御処理の流れを示すフロー図である。
【００６６】
本実施例に係るシュレッダ１００’の外観は、図７に示すとおりであり、図１に示した第１の実施例に係るシュレッダ１００の構成に加えて、シュレッダ筐体１１２の天面１１０を除く部位に、より具体的には前面に人感センサ２５４と主電源ランプ２６２とを備えている。
【００６７】
本実施例に係るシュレッダ１００’の主要な機構および制御関係はそれぞれ図２及び図３に示す通りであり、第一実施例と同様である。ただし、本実施例においては、シュレッダ１００’は人感センサ２５４を備えることが必須である。
【００６８】
以下、本実施例のシュレッダ１００’における細断の制御処理の流れを説明する。
【００６９】
本実施例のシュレッダ１００’は、図８に示すように、主電源が投入されていない状態でも人感センサ２５４が作動しており、まずＳＴ８０１において、人感センサ２５４により細断作業者の有無が検知される。細断作業者の存在を検知した場合には、電源制御手段２１１が主電源２７０を投入し、細断の準備を整える。細断作業者の存在を検知しない場合には元に戻る。
なお、人感センサ２５４が人体を感知してから人体を感知しなくなった後に経過した時間をタイマー２１２が計測し、タイマー２１２による計測時間が所定時間を経過した後に主電源２７０を遮断して制御ユニットへの電力供給を止めるように電源制御手段２１１が制御してもよい。
【００７０】
次に、ＳＴ８０２において、投入センサ２５２により被細断物Ｓの投入案内路１１３内への投入の有無が検知される。被細断物Ｓを検知した場合にはＳＴ８０３において制御ユニット２１０が駆動モータ２２０を駆動させロールカッター２３０を正回転させる。被細断物Ｓを検知しない場合は元に戻る。
【００７１】
ＳＴ８０４において、モータ負荷センサ２５１が駆動モータ２２０の細断負荷を検知することにより投入枚数を検知し、ＳＴ８０５において、細断可能な最大枚数を超えている場合にはＳＴ８０９に移行してロールカッター２３０が一定時間（例えば１秒間）逆回転した後に停止するよう駆動モータ２２０を制御する。細断可能な最大枚数を超えていない場合にはＳＴ８０６に移行する。
【００７２】
ＳＴ８０６において、非常制御のためにバースイッチ２４１に何らかの操作がなされているか否かを検知する。バースイッチ２４１に何らかの操作がなされた場合にはＳＴ８０９に移行する。ＳＴ８０９は正回転時逆回転ステップであり、すなわち正回転しているロールカッター２３０が直ちに逆回転し、一定時間（例えば１秒間）逆回転した後に停止するよう駆動モータ２２０を制御する。
バースイッチ２４１に何らかの操作がなされていない場合にはＳＴ８０７に移行する。
【００７３】
ＳＴ８０７において、モータ負荷センサ２５１がモータ２２１の細断負荷を検知し、さらに投入センサ２５２が被細断物Ｓの投入案内路１１３内への投入の有無を検知する。検知負荷の値が最小であり、かつ、投入センサ２５２が被細断物Ｓを検知しない場合にはＳＴ８１０に移行し、一定時間（例えば５秒）後にロールカッター２３０が停止するよう駆動モータ２２０を制御する。検知負荷の値が最小でないか、または、投入センサ２５２が被細断物Ｓを検知している場合にはＳＴ８０８に移行する。
【００７４】
ＳＴ８０８において、モータ温度センサ２５３がモータ２２１の温度を検知し、あらかじめ設定している温度を超えている場合にはＳＴ８１１に移行し、ロールカッター２３０が停止するよう駆動モータ２２０を制御する。あらかじめ設定している温度を超えていない場合にはＳＴ８０３に戻る。
【００７５】
次に、本実施例のシュレッダ１００’における細断可能表示ランプ２６１の制御の流れを図９に基づいて説明する。
【００７６】
本実施例のシュレッダ１００’は、図８に示すように、主電源が投入されていない状態でも人感センサ２５４が作動しており、まずＳＴ９０１において人感センサ２５４により細断作業者の有無が検知される。細断作業者の存在を検知した場合には、ＳＴ９０２に移行して細断可能表示ランプ２６１が表示状態となる。細断作業者の存在を検知しない場合には元に戻る。
【００７７】
ＳＴ９０２において、制御ユニット２１０は細断可能表示ランプ２６１が例えば黄緑色表示となるように点灯するよう制御する。併せて、細断可能な最大枚数を表示してもよい。
【００７８】
以下、ＳＴ９０３からＳＴ９１１までは、実施例１を説明した図５におけるＳＴ５０１からＳＴ５０９と同様に制御することができるので、説明を省略する。
【実施例４】
【００７９】
以下に、本発明の第四実施例であるシュレッダ１００’の構成及びその制御について、図２、図３、図７及び図１０に基づいて説明する。
ここで、図７は本発明の第四実施例におけるシュレッダの外観を示す図、図１０は本発明の第四実施例に係る駆動モータの制御処理の流れを示すフロー図、である。
【００８０】
本実施例に係るシュレッダ１００’の外観は、図７に示すとおりであり、第３の実施例に係るシュレッダ１００’の構成に対し、シュレッダ筐体１１２の天面１１０を除く部位に、より具体的には前面または側面に、人感センサ２５４に替えて音声センサ２５４’を備えている。
【００８１】
本実施例に係るシュレッダ１００’の主要な機構および制御関係はそれぞれ図２及び図３に示す通りであり、第三実施例と同様である。ただし、本実施例においては、シュレッダ１００’はメモリ２１３を備えることが必須である。
【００８２】
以下、本実施例のシュレッダ１００’における細断の制御処理の流れを説明する。
【００８３】
本実施例のシュレッダ１００’は、図１０に示すように、まずＳＴ１００１において、投入センサ２５２により被細断物Ｓの投入案内路１１３内への投入の有無が検知される。被細断物Ｓを検知した場合にはＳＴ１００２において制御ユニット２１０が駆動モータ２２０を駆動させロールカッター２３０を正回転させる。被細断物Ｓを検知しない場合は元に戻る。
【００８４】
ＳＴ１００３において、モータ負荷センサ２５１が駆動モータ２２０の負荷を検知することにより投入枚数を検知し、ＳＴ１００４において、細断可能な最大枚数を超えている場合にはＳＴ１００９に移行してロールカッター２３０が一定時間（例えば１秒間）逆回転した後に停止するよう駆動モータ２２０を制御する。細断可能な最大枚数を超えていない場合にはＳＴ１００５に移行する。
【００８５】
ＳＴ１００５において、非常制御のためにバースイッチ２４１に何らかの操作がなされているか否かを検知する。バースイッチ２４１に何らかの操作がなされた場合にはＳＴ１００９に移行してロールカッター２３０が一定時間（例えば１秒間）逆回転した後に停止するよう駆動モータ２２０を制御する。
バースイッチ２４１に何らかの操作がなされていない場合にはＳＴ１００６に移行する。
【００８６】
ＳＴ１００６において、音声センサ２５４’により音声の有無が検知される。音声を検知した場合には、音声センサ２５４’から制御ユニット２１０に送信された入力信号を予めメモリ２１４に記録された音声データと照合し、入力信号と音声データとが対応した場合にはＳＴ１００９に移行する。ＳＴ１００９は正回転時逆回転ステップであり、すなわち正回転しているロールカッター２３０が直ちに逆回転し、一定時間（例えば１秒間）逆回転した後に停止するよう駆動モータ２２０を制御する。
ここで、予めメモリ２１４に記録される音声データの例としては、「止まれ」「ストップ」などを挙げることができる。音声を検知しない場合、または検知しても入力信号と音声データとが対応しない場合にはＳＴ１００７に移行する。
【００８７】
ＳＴ１００７において、モータ負荷センサ２５１がモータ２２１の負荷を検知し、さらに投入センサ２５２が被細断物Ｓの投入案内路１１３内への投入の有無を検知する。検知負荷の値が最小であり、かつ、投入センサ２５２が被細断物Ｓを検知しない場合にはＳＴ１０１０に移行し、タイマー２１２の測定時間が所定時間を経過した後、一定時間（例えば５秒）後にロールカッター２３０が停止するよう駆動モータ２２０を制御する。検知負荷の値が最小でないか、または、投入センサ２５２が被細断物Ｓを検知している場合にはＳＴ１００８に移行する。
【００８８】
ＳＴ１００８において、モータ温度センサ２５３がモータ２２１の温度を検知し、あらかじめ設定している温度を超えている場合にはＳＴ１０１１に移行し、ロールカッター２３０が停止するよう駆動モータ２２０を制御する。あらかじめ設定している温度を超えていない場合にはＳＴ１００２に戻る。
【００８９】
なお、音声センサ２５４’は、シュレッダ筐体１１２の天面１１０に配置してもよく、また、シュレッダ筐体１１２が人感センサ２５４と音声センサ２５４‘の双方を備えていれば、従来技術の課題をいっそう解決することは言うまでもない。
【００９０】
以上説明したように、本発明のシュレッダ及びその制御方法によれば、作業者の指などが引き込まれた場合にはバースイッチを操作できるので、非常時においても確実に非常停止／逆回転の非常制御をすることができる。
また、天面には操作ボタン等の操作手段が一切配置されていないことにより、被細断物等の重量による意図しないボタン操作、あるいは操作法を熟知していない作業者による不必要なボタン操作が発生せず、特別な復帰操作が必要となるボタン操作を排除することができる。
【符号の説明】
【００９１】
１００，１００’・・・シュレッダ
１１０・・・・・・・天面
１１１・・・・・・・投入口
１１２・・・・・・・シュレッダ筐体
２１０・・・・・・・制御ユニット
２１１・・・・・・・電源制御手段
２１２・・・・・・・タイマー
２１３・・・・・・・メモリ
２２０・・・・・・・駆動モータ
２３０・・・・・・・ロールカッター
２４０・・・・・・・バースイッチ
２５０・・・・・・・センサ手段
２５１・・・・・・・モータ負荷センサ
２５２・・・・・・・投入センサ
２５３・・・・・・・モータ温度センサ
２５４・・・・・・・人感センサ
２５４’・・・・・・・音声センサ
２６０・・・・・・・表示手段
２６１・・・・・・・細断可能表示ランプ
２６２・・・・・・・主電源ランプ
２７０・・・・・・・主電源
Ｓ・・・・・・・・・被細断物
【図１】
2018008233.tif 000005
【図２】
2018008233.tif 000006
【図３】
2018008233.tif 000007
【図４】
2018008233.tif 000008
【図５】
2018008233.tif 000009
【図６】
2018008233.tif 000010
【図７】
2018008233.tif 000011
【図８】
2018008233.tif 000012
【図９】
2018008233.tif 000013
【図１０】
2018008233.tif 000014